(57)【特許請求の範囲】
【請求項１】
入力部が設けられた第１面と、該第１面とは反対側に位置した第２面とを有した第１ユニットと、
タッチセンサが設けられた表示画面を有した第２ユニットと、
前記第１ユニットに隣り合う第１部分と、該第１部分を中心に回動される第２部分とを含む第１部材と、
前記第１部材の第２部分に設けられた軸と、
前記軸に回動可能に連結されるとともに、前記第２ユニットを支持した第２部材と、
を備え、
前記表示画面を前記第１ユニットとは反対側に向けて前記第２ユニットが前記第１ユニットの第１面に重ねられた第１状態において、前記第２部材は、前記第１ユニットの第１面と前記第２ユニットとの間に位置し、
前記第１ユニットの第１面は、前記入力部の上面に対して窪んで前記第１状態で前記第１部材の少なくとも一部及び前記第２部材の少なくとも一部が収容される凹部が設けられた電子機器。
【請求項２】
請求項１の記載において、
前記第１状態において、前記第１部材の少なくとも一部及び前記第２部材の少なくとも一部が前記凹部に収容されることで前記第１ユニットと前記第２ユニットとが略平行に重なる電子機器。
【請求項３】
請求項１または請求項２の記載において、
前記第１ユニットは、該第１ユニットと前記第１部材の第１部分とを回動可能に連結した他の軸を有し、
前記他の軸は、前記凹部に設けられた電子機器。
【請求項４】
請求項１乃至請求項３のいずれかの記載において、
前記第１部材は、前記第１ユニットの端部に設けられ、
前記凹部は、前記入力部と前記第１ユニットの前記端部との間に設けられた電子機器。
【請求項５】
請求項４の記載において、
前記凹部は、前記第１部材の近傍に位置した第１部分と、該第１部分よりも前記入力部の近くに位置した第２部分とを含み、
前記第２部分の深さは、前記第１部分の深さよりも浅い電子機器。
【請求項６】
請求項１乃至請求項５のいずれかの記載において、
前記第１状態では、前記第１部材は、該第１部材の前記第１部分と前記第２部分とが略水平に並ぶ電子機器。
【請求項７】
請求項１乃至請求項６のいずれかの記載において、
前記第２ユニットは、前記表示画面が露出した第１面と、該第１面とは反対側に位置した第２面とを有し、
前記第２ユニットの第２面は、前記第１状態で、前記第２部材の少なくとも一部が収容される他の凹部が設けられた電子機器。
【請求項８】
請求項１乃至請求項７のいずれかの記載において、
該電子機器は、前記第２ユニットの端部が前記１ユニットの表面に隣り合うとともに前記第２ユニットが前記第１ユニットに対して斜めに立て起こされて前記タッチセンサが入力を受付可能な第２状態で使用可能である電子機器。
【発明の詳細な説明】
【技術分野】
【０００１】
本発明の実施形態は、電子機器に関する。
【背景技術】
【０００２】
表示部の姿勢が調整可能なディスプレイ装置が提供されている。
【先行技術文献】
【特許文献】
【０００３】
【特許文献１】実開平４−１３２５２６号公報
【発明の概要】
【発明が解決しようとする課題】
【０００４】
電子機器は、薄型化が望まれている。
【０００５】
本発明の目的は、薄型化を図ることができる電子機器を提供することである。
【課題を解決するための手段】
【０００６】
実施形態によれば、電子機器は、第１ユニットと、タッチセンサが設けられた表示画面を有した第２ユニットと、前記第１ユニットに隣り合う第１部分と該第１部分を中心に回動される第２部分とを含む第１部材と、前記第１部材の第２部分に設けられた軸と、前記軸に回動可能に連結されるとともに、前記第２ユニットを支持した第２部材とを備える。前記第１ユニットは、入力部が設けられた第１面と、該第１面とは反対側に位置した第２面とを有する。前記第２部材は、前記表示画面を前記第１ユニットとは反対側に向けて前記第２ユニットが前記第１ユニットの第１面に重ねられた第１状態において、前記第１ユニットの第１面と前記第２ユニットとの間に位置する。前記第１ユニットの第１面は、前記入力部の上面に対して窪んで前記第１状態で前記第１部材の少なくとも一部及び前記第２部材の少なくとも一部が収容される凹部が設けられている。
【図面の簡単な説明】
【０００７】
【図１】第１実施形態に係る電子機器の斜視図。
【図２】図１中に示された電子機器の第１状態の斜視図。
【図３】図１中に示された電子機器の第１状態の断面図。
【図４】図２中に示された電子機器のＦ４−Ｆ４線に沿う断面図。
【図５】図２中に示された電子機器のＦ５−Ｆ５線に沿う断面図。
【図６】図１中に示された電子機器の第２状態の斜視図。
【図７】図１中に示された電子機器の第２状態の斜視図。
【図８】図１中に示された電子機器の第３状態の斜視図。
【図９】図１中に示された電子機器の第３状態の断面図。
【図１０】図８中に示された電子機器のＦ１０−Ｆ１０線に沿う断面図。
【図１１】図８中に示された電子機器のＦ１１−Ｆ１１線に沿う断面図。
【図１２】図１中に示された電子機器の第４状態の斜視図。
【図１３】第２実施形態に係る電子機器の第１状態の斜視図。
【図１４】図１３中に示された電子機器の第２状態の斜視図。
【図１５】図１３中に示された電子機器の第２状態の斜視図。
【図１６】図１３中に示された電子機器の第３状態の斜視図。
【発明を実施するための形態】
【０００８】
以下、実施の形態について、図面を参照して説明する。なお、いくつかの図では、筐体（ユニット）にハッチングを施しているが、これは筐体（ユニット）の内部が密であることを示すものではなく、説明の便宜のために施したものである。各筐体（ユニット）は、それぞれ部品を収容する内部空間を有する。
【０００９】
（第１実施形態）  
図１乃至図１２は、第１実施形態に係る電子機器１を開示している。電子機器１の一例は、タブレット型ポータブルコンピュータ（タブレットＰＣ）である。なお、本実施形態が適用可能な電子機器は、上記例に限られない。本実施形態は、ノート型ポータブルコンピュータ（ノートＰＣ）、携帯電話、スマートフォン、電子書籍端末、ゲーム機などを含む種々の電子機器に広く適用可能である。
【００１０】
図１に示すように、電子機器１は、第１ユニット２と、第２ユニット３と、ヒンジ部４とを有する。第１ユニット２の一例は、いわゆる本体部（メインユニット）である。第１ユニット２は、第１筐体６を備えている。第１筐体６には、例えば回路基板及びバッテリが収容されている。
【００１１】
第１筐体６は、第１面７ａ（第１壁）、第２面７ｂ（第２壁）、及び第３面７ｃ（第３壁）を有し、扁平な箱状に形成されている。第１面７ａの一例は、上面である。第１面７ａには、入力部８が設けられている。入力部８は、「第１入力部」及び「第１入力受付部」のそれぞれ一例である。入力部８は、例えばキーボードである。
【００１２】
なお、入力部８は、キーボードに代えて、例えばタッチセンサ（タッチパネル）が設けられた表示装置でもよい。この場合、第１面７ａは、タッチセンサが設けられた表示画面が露出する開口部を有する。
【００１３】
第２面７ｂは、第１面７ａとは反対側に位置する。第２面７ｂの一例は、下面である。第２面７ｂは、第１面７ａとの間に空間を空けて、第１面７ａと略平行に広がる。第２面７ｂは、電子機器１を机の上に置いた時に、その机上面に向かい合う。第２面７ｂには、机上面に接し、電子機器１を支持する複数の脚部が設けられている。
【００１４】
第３面７ｃの一例は、周面（側面）である。第３面７ｃは、第１面７ａ及び第２面７ｂとは交差する方向（例えば略直交する方向）に延びている。第３面７ｃは、第１面７ａと第２面７ｂとに亘る。すなわち、第３面７ｃは、第１面７ａの周縁部と第２面７ｂの周縁部とを繋いでいる。
【００１５】
図１に示すように、第１筐体６は、第１端部９ａと、第２端部９ｂとを有する。第１端部９ａは、例えば後端部であり、ヒンジ部４が連結されている。第２端部９ｂは、例えば前端部であり、第１端部９ａとは反対側に位置する。
【００１６】
図１及び図５に示すように、第１端部９ａは、凸部１０を有する。凸部１０は、第１筐体６の厚さ方向に、第１面７ａから突出している。すなわち、凸部１０は、第１面７ａよりも高くなっている。凸部１０の先端は、平面１０ａを有する。この平面１０ａは、後述の第１状態（図５に示す状態）で、第１筐体６の第１面７ａよりも第２筐体１３の第１面１７ａの近くに位置する。
【００１７】
図１に示すように、第１筐体６の第１面７ａは、第１領域１１ａ（第１部分）と、第２領域１１ｂ（第２部分）とを有する。第１領域１１ａは、第１面７ａの中心よりも第２端部９ｂの近くに位置する。第１領域１１ａは、上述の入力部８が設けられている。一方で、第２領域１１ｂは、第１領域１１ａと第１端部９ａとの間に位置する。
【００１８】
第２ユニット３の一例は、いわゆる表示部（表示ユニット）である。第２ユニット３は、第２筐体１３を備えている。第２筐体１３には、表示装置１４が収容されている。表示装置１４の表示画面１５には、タッチセンサ１６（タッチパネル）が設けられている。なお、第２筐体１３は、第１筐体６の代わりに、回路基板を収容してもよい。
【００１９】
第２筐体１３は、第１面１７ａ（第１壁）、第２面１７ｂ（第２壁）、及び第３面１７ｃ（第３壁）を有し、扁平な箱状に形成されている。第１面１７ａの一例は、表示面である。第１面１７ａには、タッチセンサ１６が設けられた表示画面１５が露出している。すなわち、第１面１７ａは、表示画面１５が露出する開口部１８が設けられている。表示画面１５（または表示装置１４）は、「第２入力部」及び「第２入力受付部」のそれぞれ一例である。
【００２０】
第２面１７ｂの一例は、背面である。第２面１７ｂは、第１面１７ａとは反対側に位置する。第２面１７ｂは、例えば平面状（平坦状）に形成され、表示装置１４の背面を覆っている。第３面１７ｃは、周面（側面）である。第３面１７ｃは、第１面１７ａ及び第２面１７ｂとは交差する方向（例えば略直交する方向）に延びている。第３面１７ｃは、第１面１７ａと第２面１７ｂとに亘る。すなわち、第３面１７ｃは、第１面１７ａの周縁部と第２面１７ｂの周縁部とを繋いでいる。
【００２１】
図２乃至図５に示すように、第２筐体１３は、第１端部１９ａと、第２端部１９ｂとを有する。第１端部１９ａは、表示画面１５が上方に露出された状態（第１状態）で、第１筐体６の第１端部９ａに向かい合う。この第１状態で、第２筐体１３の第１端部１９ａの一部は、後述のリンク２１（第１部材）に向かい合う。第２端部１９ｂは、第１端部１９ａの反対側に位置する。第２端部１９ｂは、上記第１状態で、第１筐体６の第２端部９ｂに向かい合う。
【００２２】
図１に示すように、ヒンジ部４は、リンク２１、アーム２２、及び、第１乃至第３の軸２３，２４，２５を有する。リンク２１は、「リンク部品」、「第１部材」、「第１部品」、「第１連結部」、「第１支持部」のそれぞれ一例である。アーム２２は、「アーム部品」、「第２部材」、「第２部品」、「第２連結部」、「第２支持部」のそれぞれ一例である。本実施形態では、ヒンジ部４は、例えば一つだけ設けられている。
【００２３】
図１、図２、図８に示すように、ヒンジ部４は、表示画面１５の内側（領域内）に位置する。詳しく述べると、表示画面１５は、アーム２２の長手方向に延びた二つの端部１５ａ，１５ｂを有する。アーム２２及びリンク２１は、これら二つの端部１５ａ，１５ｂよりも表示画面１５の内側（中央側）に位置する。
【００２４】
図１乃至図５に示すように、第１筐体６の第１端部９ａの凸部１０は、中央部に切欠き部２６が設けられている。リンク２１は、この切欠き部２６に設けられ、第１端部９ａに位置している。また第１端部９ａには、第１軸２３が位置している。すなわち、第１軸２３は、第１筐体６の中央よりも第１端部９ａの近くに位置している。第１軸２３は、第１面７ａと略平行であり、第１端部９ａに沿って延びている。第１軸２３は、第１面７ａよりも上方にある。第１軸２３のトルクは、第２軸２４のトルク及び第３軸２５のトルクよりも大きい。
【００２５】
図４及び図１０に示すように、リンク２１は、第１部分２１ａと、第２部分２１ｂとを有する。第１部分２１ａは、第１軸２３に連結されている（支持されている）。すなわち、第１軸２３は、第１筐体６の第１端部９ａとリンク２１の第１部分２１ａとの間に位置し、第１筐体６の第１端部９ａとリンク２１の第１部分２１ａとを回動可能に連結している。
【００２６】
第２部分２１ｂは、第１部分２１ａとは反対側に位置する。第２部分２１ｂは、「可動部」の一例であり、第１軸２３を中心に回動され、第１位置（図４参照）と、第２位置（図１０参照）との間で移動可能である。図４に示すように、第１位置では、第２部分２１ｂは、第１筐体６の第１面７ａに隣接し、第１面７ａに向かい合う。第１位置では、第１部分２１ａと第２部分２１ｂとが、第１面７ａと略平行な方向に並ぶ。第２部分２１ｂは、第１部分２１ａと略同じだけ、第１面７ａの近くに位置する。
【００２７】
図１０に示すように、第２位置は、第１位置から例えば略９０度回動された位置である。第２位置では、第２部分２１ｂは、第１位置に比べて持ち上げられ、第１位置よりも高くに位置する。第２位置は、第１位置よりも第１筐体６から離れている。第２位置では、第２部分２１ｂは、第３状態（後述）にある第２筐体１３の第２面７ｂと略同じ高さに位置する。第２位置では、第１部分２１ａと第２部分２１ｂとが、第１面７ａとは交差する方向（例えば略直交する方向）に並ぶ。
【００２８】
図４に示すように、リンク２１の第１部分２１ａは、凸部２７（以下、第２凸部２７）を有する。第２凸部２７は、第１筐体６の凸部１０（以下、第１凸部１０）と略同じ外形を有する。第１位置では、第２凸部２７は、第１凸部１０と略同じだけ突出している。第２凸部２７と第１凸部１０は、略連続する。これにより、第１筐体６の第１端部９ａには、一連の凸部が形成される。第２凸部２７は、第１凸部１０の平面１０ａと略同一平面上に位置する平面２７ａを有する。
【００２９】
リンク２１は、例えばコネクタなど部品（機能部品、電子部品）を搭載してもよい。また、リンク２１は、第１位置及び第２位置の少なくとも一方で位置が保持されるロック２８（ロック機構）を有してもよい。
【００３０】
図４及び図１０に示すように、第２軸２４は、リンク２１の第２部分２１ｂに取り付けられている。すなわち、第２軸２４は、リンク２１の回動に伴い、上記第１位置と、上記第２位置との間で移動される。第２軸２４は、第１軸２３と略平行に設けられている。第２軸２４と第１軸２３との間の距離Ｌ１（中心間距離）は、第２筐体１３の厚さＴ２と略同じである。
【００３１】
図４及び図１０に示すように、第３軸２５は、第２筐体１３に取り付けられている。第３軸２５は、第１軸２３及び第２軸２４と略平行である。第３軸２５は、第２筐体１３の第２面１７ｂの略中央部に取り付けられている。第３軸２５は、第２筐体１３の第２面１７ｂと略同じ平面上に位置する。
【００３２】
アーム２２は、第２筐体１３の略半分の長さを有し、第２軸２４と第３軸２５との間に延びている。アーム２２は、第１部分２２ａと、第２部分２２ｂとを有する。第１部分２２ａは、第２軸２４に連結されている（支持されている）。第２部分２２ｂは、第３軸２５に連結されている（支持されている）。
【００３３】
換言すれば、第２軸２４は、リンク２１の第２部分２１ｂとアーム２２の第１部分２２ａとの間に位置し、リンク２１の第２部分２１ｂとアーム２２の第１部分２２ａとを回動可能に連結している。第３軸２５は、アーム２２の第２部分２２ｂと第２筐体１３との間に位置し、アーム２２の第２部分２２ｂと第２筐体１３とを回動可能に連結している。
【００３４】
第３軸２５と第２軸２４との間の距離Ｌ２（中心間距離）は、第３軸２５と第２筐体１３の第１端部１９ａとの間の距離Ｌ３よりも小さく、且つ、第３軸２５と第２筐体１３の第２端部１９ｂとの間の距離Ｌ４よりも大きい。
【００３５】
また、第３軸２５は、第１軸２３と第２軸２４との間の距離Ｌ１の略半分と同じ距離だけ、第２筐体１３の中心に対してずれて位置している。換言すれば、第３軸２５と第２筐体１３の第１端部１９ａとの間の距離Ｌ３と、第３軸２５と第２筐体１３の第２端部１９ｂとの間の距離Ｌ４との大きさの違い（差分）は、第１軸２３と第２軸２４との間の距離Ｌ１と略同じに設定されている。
【００３６】
電子機器１は、以下に述べる第１乃至第４の状態（形態、姿勢）の間で変形可能である。図２乃至図５は、電子機器１の第１状態（第１形態）を示す。第１状態は、いわゆるタブレット使用状態（第１使用状態）である。この第１状態では、第２筐体１３は、表示画面１５を上向きにして、第１筐体６と略平行に重ねられている。
【００３７】
すなわち、この第１状態では、第２筐体１３の第１面１７ａが上側に位置し、第２筐体１３の第２面１７ｂが下側に位置する。第２筐体１３の第２面１７ｂは、第１筐体６の略全体に向かい合い、第１筐体６の入力部８に向かい合う。第１状態では、第２筐体１３は、第１筐体６の大部分を覆う。一方で、表示画面１５は、上側に位置し、外部に露出される。ユーザーは、表示画面１５を通じて情報を入力することができる。
【００３８】
図４に示すように、第１状態では、リンク２１の第２部分２１ｂは、第１位置にある。すなわち、リンク２１は、寝かされており、第１筐体６の近くに位置する。リンク２１の第２部分２１ｂは、第１筐体６に向かい合う。
【００３９】
アーム２２は、第１位置にあるリンク２１に支持され、第１筐体６と第２筐体１３との間に位置する。すなわち、アーム２２の第１部分２２ａは、第１筐体６の近くに位置し、第１筐体６に向かい合う。また、第３軸２５に連結されたアーム２２の第２部分２２ｂは、表示画面１５よりも第１筐体６の近くに位置し、第１筐体６に向かい合う。この状態では、第１軸２３、第２軸２４、及び第３軸２５が略直線上に並ぶ。
【００４０】
ここで、第３軸２５と第２筐体１３の第１端部１９ａとの間の距離Ｌ３は、第３軸２５と第２軸２４との間の距離Ｌ２よりも大きい。このため、第２軸２４及びリンク２１の第２部分２１ｂは、第２筐体１３の第１端部１９ａに覆われ、第２筐体１３と第１筐体６との間に位置する。これにより、第１筐体６の大部分が第２筐体１３に覆われる。
【００４１】
また、図４に示すように、第１筐体６の第１端部９ａよりも第２筐体１３の第１端部１９ａは、第１筐体６の内側に位置している。第１筐体６の第２端部９ｂよりも第２筐体１３の第２端部１９ｂは、第１筐体６の内側に位置している。すなわち、平面視において、第２筐体１３は、第１筐体の内側（領域内）に位置する。
【００４２】
図５に示すように、第１状態で、第１筐体６と第２筐体１３との間の隙間Ｃ１は、例えばアーム２２の厚さＴ３よりも小さい。またこの隙間Ｃ１は、第１筐体６の厚さＴ１よりも小さく、且つ、第２筐体１３の厚さＴ２よりも小さい。
【００４３】
次に、図６及び図７は、電子機器１の第２状態（第２形態）を示す。第２状態は、入力部８が露出された使用状態（第２使用状態）である。この第２状態は、第１状態から第２ユニット３が移動され、第１ユニット２の入力部８が外部に露出されることで実現される。詳しく述べると、第１状態から、第２軸２４を中心にして、リンク２１に対してアーム２２が回動される。また、第３軸２５を中心にして、第２筐体１３に対してアーム２２が回動される。これに伴い、第１筐体６に対して第２筐体１３が後方にスライドして斜めに起き上がる。
【００４４】
これにより、第１筐体６の入力部８が外部に露出され、入力を受付可能になる。第２筐体１３は、第１筐体６の第２領域１１ｂの上方に位置し、第１筐体６に対して傾斜したアーム２２に支持される。
【００４５】
次に、図８乃至図１１は、電子機器１の第３状態（第３形態）を示す。第３状態は、いわゆる画面保護状態（持ち運び状態、不使用状態）である。この第３状態では、第２筐体１３は、第１状態に対して反転され、表示画面１５を下向きにして、第１筐体６と略平行に重ねられている。
【００４６】
すなわち、この第３状態では、第２筐体１３の第２面１７ｂが上側に位置し、第２筐体１３の第１面１７ａが下側に位置する。第２筐体１３の第１面１７ａは、第１筐体６の略全体に向かい合い、第１筐体６の入力部８に向かい合う。第３状態では、第２筐体１３は、第１筐体６の大部分を覆う。換言すれば、表示画面１５の全体は、第１筐体６の第１面７ａによって覆われる。これにより、表示画面１５が外部に露出せず、表示画面１５の保護が図られる。
【００４７】
図１０に示すように、第３状態では、リンク２１の第２部分２１ｂは、第２位置にある。すなわち、リンク２１の第２部分２１ｂは、上方に移動している。第２軸２４と第１軸２３との間の距離Ｌ１は、第２筐体１３の厚さＴ２と略同じである。このため、リンク２１の第２部分２１ｂを第１位置から第２位置に移動させると、第２軸２４が第２筐体１３の厚さ分だけ上方に移動する。これにより、第２軸２４は、例えば表示画面１５よりも上方に位置する。第３状態では、第２軸２４の少なくとも一部は、第２筐体１３の第２面１７ｂと略同一平面上に位置する。
【００４８】
アーム２２は、第２位置にあるリンク２１に支持され、第１筐体６とは反対側から第２ユニット３に重なる部分を有する。すなわち、第２軸２４に連結されたアーム２２の第１部分２２ａは、表示画面１５よりも上方に位置する。アーム２２は、第２筐体１３の第２面１７ｂに向かい合う位置で、第２筐体１３と略平行に延びている。
【００４９】
ここで、本実施形態では、第３軸２５と第２筐体１３の第２端部１９ｂとの間の距離Ｌ４は、第３軸２５と第２軸２４との間の距離Ｌ２よりも小さい。このため、第２筐体１３の第２端部１９ｂは、リンク２１には重ならず、リンク２１と水平方向に並ぶ。このため、リンク２１の厚さに影響されずに、第２筐体１３と第１筐体６との間の隙間Ｃ２を小さくすることができる。
【００５０】
図１０に示すように、第３状態では、第２筐体１３の第１端部１９ａは、第１筐体６の第２端部９ｂに向かい合う。第２筐体１３の第２端部１９ｂは、第１筐体６の第１端部９ａに向かい合う。第１筐体６の第２端部９ｂよりも第２筐体１３の第１端部１９ａは、第１筐体６の内側に位置する。第１筐体６の第１端部９ａよりも第２筐体１３の第２端部１９ｂは、第１筐体６の内側に位置する。すなわち、平面視において、第２筐体１３は、第１筐体の内側（領域内）に位置する。
【００５１】
図１０に示すように、第３状態で、第１筐体６と第２筐体１３との間の隙間Ｃ２は、例えばアーム２２の厚さＴ３よりも小さい。この隙間Ｃ２は、第１筐体６の厚さＴ１よりも小さく、且つ、第２筐体１３の厚さＴ２よりも小さい。
【００５２】
図４、図７乃至図１０に示すように、第２筐体１３の第２面１７ｂは、第１凹部３１（第１溝部）が設けられている。第１凹部３１は、第１部分３１ａと、第２部分３１ｂとを有する。第１部分３１ａは、第３軸２５と第２筐体１３の第１端部１９ａとの間に亘る。第２部分３１ｂは、第３軸２５と第２筐体１３の第２端部１９ｂとの間に亘る。換言すれば、第１凹部３１は、第２筐体１３の第１端部１９ａと第２端部１９ｂとに亘る。第３軸２５は、第１部分３１ａと、第２部分３１ｂとの間に位置する。すなわち、第１部分３１ａと第２部分３１ｂとは、第３軸２５の両側に分かれて位置している。
【００５３】
第１凹部３１は、アーム２２及びリンク２１に対応した位置に設けられ、アーム２２及びリンク２１と略同じ幅を有する。第１部分３１ａは、第１状態にて、アーム２２及びリンク２１の第２部分２１ｂが重なる。第１部分３１ａは、第１状態にて、アーム２２及びリンク２１の第２部分２１ｂのそれぞれ少なくとも一部が収容される。第２部分３１ｂは、第３状態にて、アーム２２が重なる。第２部分３１ｂは、第３状態にて、アーム２２の少なくとも一部が収容される。
【００５４】
図１、図４、図７乃至図１０に示すように、第１筐体６の第１面７ａは、第２凹部３２（第２溝部）が設けられている。第２凹部３２は、第１面７ａの第２領域１１ｂに設けられている。第２凹部３２は、第１筐体６の第１端部９ａと、第１領域１１ａとに亘る。第２凹部３２は、アーム２２及びリンク２１に対応した位置に設けられ、アーム２２及びリンク２１と略同じ幅を有する。第２凹部３２は、第１状態にて、アーム２２及びリンク２１のそれぞれ少なくとも一部が収容される。これらにより、アーム２２とリンク２１の一部とは、第１筐体６と第２筐体１３との間に収容される。
【００５５】
なお、第１凹部３１は、アーム２２の全部が収容されてもよい。またこれに代えて、第２凹部３２は、アーム２２の全部が収容されてもよい。すなわち、第１凹部３２及び第１凹部３１は、いずれか一方だけが設けられてもよい。
【００５６】
次に、図１２は、電子機器１の第４状態（第４形態）を示す。第４状態は、第２筐体１３が第１筐体６よりも後方まで回動され、入力部８が露出された使用状態（第３使用状態）である。この第４状態は、第２状態から、リンク２１が立て起こされるとともに、第２ユニット３がリンク２１よりも後方に移動されることで実現される。この第４状態では、一般的なノートＰＣと同様の姿勢で、電子機器１を使用することができる。
【００５７】
次に、本実施形態の電子機器１の作用について説明する。  
図２乃至図５に示すように、リンク２１を第１位置に位置させ、アーム２２を寝かせ、表示画面１５を上側にして第２筐体１３を第１筐体６に重ねることで、電子機器１を第１状態にすることができる。これにより、ユーザーは、タブレット状態で電子機器１を使用することができる。
【００５８】
図６及び図７に示すように、第１状態から第２筐体１３を後方にスライドさせ、第２筐体１３を斜めに起こすことで、入力部８（キーボード）が露出され、電子機器１を第２状態にすることができる。これにより、ユーザーは、第１ユニット２の入力部８を用いて電子機器１を使用することができる。
【００５９】
図８乃至図１１に示すように、第２状態から、リンク２１を回動させ、リンク２１の第２部分２１ｂを第２筐体１３の厚さ分だけ上昇させ、表示画面１５を下側に向けて第２筐体１３を第１筐体６に重ねることで、電子機器１を第３状態にすることができる。これにより、表示画面１５が外部に露出せず、表示画面１５の保護を図ることができる。
【００６０】
このような構成によれば、薄型化及び画面の保護を図ることができる。  
本実施形態に係る電子機器１は、リンク２１と、アーム２２とを有する。リンク２１は、第１筐体６に支持され、第１位置と、該第１位置よりも第１筐体６から離れた第２位置との間で移動可能な部分を有する。アーム２２は、第２筐体１３の第２面１７ｂと第１筐体６とが向かい合う第１状態で、前記第１位置に位置したリンク２１に支持され、第２筐体１３と第１筐体６との間に位置する。また、アーム２２は、第２筐体１３の第１面１７ａと第１筐体６とが向かい合う第３状態で、前記第２位置に位置したリンク２１に支持され、第１筐体６とは反対側から第２筐体１３に重なる部分を有する。
【００６１】
すなわち、本実施形態では、アーム２２を支持するリンク２１の第２部分２１ｂの高さ（位置）が変更可能である。このため、第１状態では、第１筐体６と第２筐体１３との間にアーム２２が位置し、第３状態では、第１筐体６とは反対側からアーム２２が第２筐体１３に重なる。このため、第３状態において、第１筐体６と表示画面１５との間にアーム２２が挟まれないので、第１筐体６と第２筐体１３との間の隙間Ｃ２を小さくすることができる。これにより、薄型化と画面保護とを同時に図ることができる。
【００６２】
本実施形態では、電子機器１は、第１状態から第２ユニット３が移動され、第１ユニット２の入力部８が外部に露出された第２状態に変形可能である。これにより、第１ユニット２の入力部８が使用可能であり、第２ユニット３の表示画面１５が斜めに立て起こされた姿勢で電子機器１が使用可能になる。これによれば、電子機器１の使いやすさが高まる。
【００６３】
本実施形態では、第２ユニット３の第２面１７ｂは、第１状態でアーム２２の少なくとも一部が収容される第１部分３１ａと、第３状態でアーム２２の少なくとも一部が収容される第２部分３１ｂとを含む第１凹部３１が設けられている。これにより、第１状態及び第３状態で、アーム２２が第１凹部３１に収容され、電子機器１の薄型化をさらに図ることができる。
【００６４】
本実施形態では、第１凹部３１の第１部分３１ａは、第３軸２５と第２ユニット３の第１端部１９ａとに亘る。第１凹部３１の第２部分３１ｂは、第３軸２５と第２ユニット３の第２端部１９ｂとに亘る。これよれば、第２筐体１３の第１端部１９ａと第２端部１９ｂとに亘る全長において、アーム２２が第１凹部３１に収容される。これにより、電子機器１の薄型化をさらに図ることができる。
【００６５】
本実施形態では、第３軸２５と第２軸２４との中心間距離Ｌ２は、第３軸２５と第２筐体１３の第１端部１９ａとの間の距離Ｌ３よりも小さく、且つ、第３軸２５と第２筐体１３の第２端部１９ｂとの間の距離Ｌ４よりも大きい。これにより、第１状態及び第３状態の両方で、平面視で第２ユニット３が第１ユニット２の内側に収まる。これにより、第１ユニット２により、第２ユニット３を安定して支持することができる。
【００６６】
本実施形態では、第１ユニット２は、第１状態でアーム２２の少なくとも一部が収容される第２凹部３２が設けられている。これによれば、電子機器１の薄型化をさらに図ることができる。
【００６７】
本実施形態では、表示画面１５は、アーム２２の長手方向に延びた二つの端部１５ａ，１５ｂを有する。リンク２１及びアーム２２は、表示画面１５の二つの端部１５ａ，１５ｂよりも表示画面１５の内側に位置する。これによれば、第２筐体１３の大きさを表示装置１４の大きさに合わせて小さくすることができるので、電子機器１の小型化を図ることができる。
【００６８】
本実施形態では、第２ユニット３の第１端部１９ａは、第１状態で第１ユニット２の第１端部９ａに向かい合うとともに、第３状態で第１ユニット２の第２端部９ｂに向かい合う。第２ユニット３の第２端部１９ｂは、第１状態で第１ユニット２の第２端部９ｂに向かい合うとともに、第３状態で第１ユニット２の第１端部９ａに向かい合う。これによれば、第１状態及び第３状態において、第２ユニット３の第１端部１９ａ及び第２端部１９ｂは、第１ユニット２に向かい合い、第１ユニット２によって支持可能である。これにより、電子機器１の安定性が向上し、電子機器１の使いやすさが向上するとともに、画面保護をさらに図ることができる。
【００６９】
（第２実施形態）  
次に、第２実施形態に係る電子機器１について、図１３乃至図１６を参照して説明する。なお上記第１の実施形態の構成と同一または類似の機能を有する構成は、同一の符号を付してその説明を省略する。また、下記に説明する以外の構成は、上記第１の実施形態と同じである。
【００７０】
本実施形態に係る電子機器１は、二つのヒンジ部４を有する。各ヒンジ部４に係る構成は、上記第１実施形態と同様である。二つのヒンジ部４は、表示画面１５の二つの端部１５ａ，１５ｂよりも表示画面１５の内側に位置する。
【００７１】
このような構成によれば、上記第１実施形態と同様に、薄型化及び画面の保護を図ることができる。
【００７２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００７３】
例えば、第１凹部３１及び第２凹部３２の幅は、アーム２２の幅と略同じに限られない。第１凹部３１及び第２凹部３２は、例えば第２筐体１３及び第１筐体６のそれぞれ略全面に設けられるとともに、第２筐体１３及び第１筐体６の周縁部にリブが設けられることで、第１凹部３１及び第２凹部３２が設けられてもよい。
【００７４】
第２筐体１３は、第１状態及び第３状態で、第１筐体６の内側に位置するものに限られず、第１筐体６からはみ出してもよい。第１凹部３１及び第２凹部３２の深さや形状は、上記実施形態に限られない。  
以下に、いくつかの電子機器を付記する。  
［１］、(i)入力部が設けられた第１ユニットと、(ii)タッチセンサが設けられた表示画面が露出した第１面と、該第１面とは反対側に位置した第２面とを有した第２ユニットと、(iii)前記第１ユニットの端部に位置した第１軸と、(iv)前記第１軸を中心に回動され、前記第１ユニットに向かい合う第１位置と、該第１位置よりも前記第１ユニットから離れた第２位置との間で移動可能な可動部を有した第１部材と、(v)前記第１部材の可動部に設けられた第２軸と、(vi)前記第２ユニットに設けられた第３軸と、(vii)前記第２軸に連結された第１部分と、前記第３軸に連結された第２部分とを有し、前記第２ユニットの第２面と前記第１ユニットの入力部とが向かい合う第１状態で、前記第１位置に位置した前記第１部材に支持され、前記第２ユニットと前記第１ユニットとの間に位置し、前記第１状態から前記第２ユニットが移動され、前記第１ユニットの入力部が外部に露出される第２状態で、前記第１ユニットに対して傾斜して前記第２ユニットを支持し、前記第２ユニットの第１面と前記第１ユニットの入力部とが向かい合う第３状態で、前記第２位置に位置した前記第１部材に支持され、前記第１ユニットとは反対側から前記第２ユニットに重なる部分を有した第２部材と、を備えた電子機器。  
［２］、［１］の記載において、前記第２ユニットの第２面は、前記第１状態で、前記第２部材の少なくとも一部が収容される第１部分と、前記第３状態で、前記第２部材の少なくとも一部が収容される第２部分とを含む第１凹部が設けられた電子機器。  
［３］、［２］の記載において、前記第１凹部の第１部分と第２部分とは、前記第３軸の両側に分かれて位置した電子機器。  
［４］、［３］の記載において、前記第２ユニットは、前記第１状態で、前記第１部材に向かい合う第１端部と、該第１端部とは反対側に位置した第２端部とを有し、前記第１凹部の第１部分は、前記第３軸と前記第２ユニットの第１端部とに亘り、前記第１凹部の第２部分は、前記第３軸と前記第２ユニットの第２端部とに亘る電子機器。  
［５］、［４］の記載において、前記第３軸と前記第２軸との中心間距離は、前記第３軸と前記第２ユニットの第１端部との間の距離よりも小さく、且つ、前記第３軸と前記第２ユニットの第２端部との間の距離よりも大きく、前記第１状態及び前記第３状態の両方で、平面視で前記第２ユニットが前記第１ユニットの内側に位置する電子機器。  
［６］、［１］または［５］の記載において、前記第３状態で、前記第２軸の少なくとも一部は、前記第２ユニットの第２面と略同一平面上に位置する電子機器。  
［７］、［１］または［６］の記載において、前記第１ユニットは、前記第１状態で、前記第２部材の少なくとも一部が収容される凹部が設けられた電子機器。  
［８］、［１］または［７］の記載において、前記表示画面は、前記第２部材の長手方向に延びた二つの端部を有し、前記第２部材は、前記表示画面の二つの端部よりも前記表示画面の内側に位置した電子機器。  
［９］、［１］の記載において、前記第１ユニットは、前記第１軸が位置した第１端部と、該第１端部とは反対側に位置した第２端部とを有し、前記第２ユニットは、前記第１状態で前記第１ユニットの第１端部に向かい合うとともに、前記第３状態で前記第１ユニットの第２端部に向かい合う第１端部と、前記第１状態で前記第１ユニットの第２端部に向かい合うとともに、前記第３状態で前記第１ユニットの第１端部に向かい合う第２端部とを有した電子機器。  
［１０］、(i)第１筐体と、(ii)第１面と、該第１面とは反対側に位置した第２面とを有した第２筐体と、(iii)前記第１筐体に支持され、第１位置と、該第１位置よりも前記第１筐体から離れた第２位置との間で移動可能な部分を有した第１部材と、(iv)前記第１部材と前記第２筐体とを連結し、前記第２筐体の第２面と前記第１筐体とが向かい合う状態で、前記第１位置に位置した前記第１部材に支持され、前記第２筐体と前記第１筐体との間に位置し、前記第２筐体の第１面と前記第１筐体とが向かい合う状態で、前記第２位置に位置した前記第１部材に支持され、前記第１筐体とは反対側から前記第２筐体に重なる部分を有した第２部材と、を備えた電子機器。
【符号の説明】
【００７５】
１…電子機器、２…第１ユニット、３…第２ユニット、６…第１筐体、８…入力部、９ａ…第１端部、９ｂ…第２端部、１３…第２筐体、１５…表示画面、１５ａ，１５ｂ…表示画面の端部、１６…タッチセンサ、１７ａ…第１面、１７ｂ…第２面、１９ａ…第１端部、１９ｂ…第２端部、２１…リンク、２２…アーム、２３…第１軸、２４…第２軸、２５…第３軸、３１…第１凹部、３１ａ…第１部分、３１ｂ…第２部分、３２…第２凹部。
【図１】
0005567112.tif 000002
【図２】
0005567112.tif 000003
【図３】
0005567112.tif 000004
【図４】
0005567112.tif 000005
【図５】
0005567112.tif 000006
【図６】
0005567112.tif 000007
【図７】
0005567112.tif 000008
【図８】
0005567112.tif 000009
【図９】
0005567112.tif 000010
【図１０】
0005567112.tif 000011
【図１１】
0005567112.tif 000012
【図１２】
0005567112.tif 000013
【図１３】
0005567112.tif 000014
【図１４】
0005567112.tif 000015
【図１５】
0005567112.tif 000016
【図１６】
0005567112.tif 000017